(57)【特許請求の範囲】
【請求項１】
内部を陳列空間と成して前面を開口させた本体と、前記本体の開口面を覆う透明板とを有しており、
前記本体に、前記透明板を本体の開口面に沿って左右動可能に支持する下ガイド手段と、前記透明板の上端部に被さって透明板を前後倒れ不能及び左右動可能に保持する下向き開口溝状の上ガイドレールとを設けており、前記透明板と上ガイドレールとは上シール材によってシールされている構成であって、
前記上ガイドレールの前後内側面のうち、少なくとも展示空間側に位置した後ろ内側面に前記上シール材が配置されている一方、前記透明板の下端部と本体の下部との間は下シール材によってシールされており、
前記透明板は、移動手段によって、下降しつつ下端が手前に移動するように支持されており、前記上シール材は、前記透明板を下降させると前記上ガイドレールとのシールが解除されるか又は弱められるように設定されている、
展示装置。
【請求項２】
前記透明板の上端部の前面か、又は、前記上ガイドレールの前内側面に、前記透明板が上昇すると当該透明板の上端部を後ろに移動させるシールガイド部材を設けている、
請求項１に記載した展示装置。
【請求項３】
前記移動手段は、前記透明板を上昇方向に付勢するように働くカウンターバランス手段とを備えている、
請求項１又は２に記載した展示装置。
【請求項４】
前記透明板は左右に複数枚並設されており、
前記上ガイドレールは一連に延びている一方、
前記下ガイド手段と移動手段とは各透明板に対応して複数設けており、各下ガイド手段を移動手段で同じ寸法だけ移動させると、透明板は隣り合った下ガイド手段に移行可能になっている、
請求項１〜３のうちのいずれかに記載した展示装置。
【請求項５】
内部を陳列空間と成して前面を開口させた本体と、前記本体の開口面を覆う透明板とを有しており、
前記本体に、前記透明板を本体の開口面に沿って左右動可能に支持する下ガイド手段と、前記透明板の上端部に被さって透明板を前後倒れ不能及び左右動可能に保持する下向き開口溝状の上ガイドレールとを設けており、前記透明板と上ガイドレールとは上シール材によってシールされている構成であって、
前記上シール材は、前記透明板を下降させると前記上ガイドレールとのシールが解除されるか又は弱められるようになっており、前記下ガイド手段は、少なくとも上下動させ得るように移動手段で支持されている、
展示装置。
【発明の詳細な説明】
【技術分野】
【０００１】
本願発明は、博物館や美術館のような展示施設に設置される展示装置に関するものであり、透明板（透明扉）を左右スライドさせることによって展示空間を開閉できるタイプを対象にしている。
【背景技術】
【０００２】
博物館や美術館では、大小様々な展示装置が使用されている。展示装置は、展示空間を有する本体と、展示装置の開口部を塞ぐ透明板とを有しており、例えば、間口寸法が数メートル又はそれ以上になる大型の展示装置の場合は、透明板を本体の開口面に沿って左右スライドさせることにより、展示空間を開閉できるようにしている。
【０００３】
その例が、特許文献１に開示されている。すなわち、特許文献１は本願出願人の出願に係るものであり、まず、透明板の下端部を下ガイド手段で左右動可能に支持している一方、透明板の上端部は、下向きに開口した上ガイドレールで左右動可能に保持されており、本体の下部に、透明板の下端部の後面が当たる下シール材を設けている一方、上ガイドレールに、透明板の上端部の後面が当たる上シール材を設けている。
【０００４】
そして、下ガイド手段は移動手段によって前後動可能に支持されており、下ガイド手段を手前に移動させると、透明板の下端部と下シール材とのシールが解除されて、透明板を左右動させることができる。透明板の上端は前後動しないので、下ガイド手段を手前に移動させると、透明板は若干の角度だけ傾斜姿勢になる。
【先行技術文献】
【特許文献】
【０００５】
【特許文献１】特開２０１０−２４６７７１号公報
【発明の概要】
【発明が解決しようとする課題】
【０００６】
透明板が上下のシール材でシールされていると、透明板を左右スライドさせようとしても、強い摩擦のためにスライドさせることができないが、下ガイド手段を手前に移動させて透明板と下シール材との当接状態を解除すると、透明板を左右にスライドさせることができる。従って、特許文献１では、シール性を損なうことなく、透明板を左右スライドさせて展示空間を開閉することができる。
【０００７】
しかし、本願発明者たちが検討したところ、改良の余地がみられた。例えば、特許文献１では、下ガイド手段を手前に移動させて透明板を傾斜させても、透明板の上端部は上シール材に当接したままになっているため、透明板の左右スライドに対して上シール材の摩擦力が抵抗として作用しており、このため、透明板の左右スライドに大きな力を要する場合があった。
【０００８】
本願発明はこのような現状に鑑み成されたものであり、従来に比べて改良された展示装置を提供せんとするものである。
【課題を解決するための手段】
【０００９】
本願発明の展示装置は、
「内部を陳列空間と成して前面を開口させた本体と、前記本体の開口面を覆う透明板とを有しており、
前記本体に、前記透明板を本体の開口面に沿って左右動可能に支持する下ガイド手段と、前記透明板の上端部に被さって透明板を前後倒れ不能及び左右動可能に保持する下向き開口溝状の上ガイドレールとを設けており、前記透明板と上ガイドレールとは上シール材によってシールされている」、という基本構成である。
【００１０】
そして、請求項１では、上記基本構成において、
「前記上ガイドレールの前後内側面のうち、少なくとも展示空間側に位置した後ろ内側面に前記上シール材が配置されている一方、前記透明板の下端部と本体の下部との間は下シール材によってシールされており、
前記透明板は、移動手段によって、下降しつつ下端が手前に移動するように支持されており、前記上シール材は、前記透明板を下降させると前記上ガイドレールとのシールが解除されるか又は弱められるように設定されている」
という構成が付加されている。
【００１１】
請求項１の発明は、様々に展開できる。その例として請求項２では、前記透明板の上端部の前面か、又は、前記上ガイドレールの前内側面に、前記透明板が上昇すると当該透明板の上端部を後ろに移動させるシールガイド部材を設けている。
【００１２】
請求項３では、請求項１又２において、前記移動手段は、前記透明板を上昇方向に付勢するように働くカウンターバランス手段を備えている。
【００１３】
請求項４では、請求項１〜３のうちのいずれかにおいて、前記透明板は左右に複数枚並設されており、前記上ガイドレールは一連に延びている一方、前記下ガイド手段と移動手段とは各透明板に対応して複数設けており、各下ガイド手段を移動手段で同じ寸法だけ移動させると、透明板は隣り合った下ガイド手段に移行可能になっている。
【００１４】
請求項５の発明は、請求項１と同じ基本構成において、前記上シール材は、前記透明板を下降させると前記上ガイドレールとのシールが解除されるか又は弱められるようになっており、前記下ガイド手段は、少なくとも上下動させ得るように移動手段で支持されている。
【００１５】
本願各発明において、展示装置は、壁際に設置する場合と、室の中に島状に配置する場合とがある。壁際に設置する場合は、外周のうち１つの面のみに透明板が配置されている場合が多いであろうし、島状に配置する場合は、外周の全体を透明板で構成することが多いであろう。複数の面に透明板を設けている場合は、請求項に記載した「前後」「左右」は、各面ごとに存在する。つまり、各開口部を基準にして、「前後」の方向は奥行き方向で「左右」の方向は各間口方向になる。
【発明の効果】
【００１６】
請求項１の発明では、透明板が下降動すると、上ガイドレールと上シール材との間のシールが解除又は弱められて、透明板の左右スライドに対する抵抗を抑制できる。また、透明板が手前に移動することにより、透明板と下シール材とのシールが解除されて、透明板のスライドに対する下シール材の抵抗を無くすことができる。従って、透明板をガタ付きなく保持すると共に展示空間の調湿機能を確保しつつ、透明板の左右スライドを、従来よりも軽い力で行うことができる。また、上下シール材の磨耗も防止できる。
【００１７】
そして、請求項１では、透明板の上下動（昇降）と前後動とが一連に行われるため、透明板の動きがスムースになると共に、一方向（直線方向）に移動させたらよいため、移動手段の構造もできるだけ簡単にすることができる。
【００１８】
請求項２の構成を採用すると、上ガイドレールの溝幅をある程度に保持して透明板の左右スライドの容易性を確保しつつ、透明板を上昇させるだけで高いシール性を自動的に確保できる。従って、簡単な構造によって、左右スライドの軽快性と高いシール性とを両立できる。
【００１９】
この種の展示装置では、透明板は大型であるため相当の重量であることが多い。従って、移動手段が手動式である場合は、透明板を上昇させるに際して作業者の負担が大きくなり、他方、電動式の動力式の場合は、大きなモータが必要になったり減速機構が複雑化したりするおそれがある
この点、請求項３の構成を採用すると、カウンターバランス手段による付勢力との差に対応した重量分だけを上昇させたらよいため、手動式の場合は、作業者の負担を軽減して迅速かつ軽い力で透明板を移動でき、電動式の場合はモータを小型化できる等の利点がある。カウンターバランス手段としてばね手段を使用するとコンパクトで好適であるが、この場合は、変形しても弾性復元力は一定である定荷重ばね（定トルクばね）を使用すると、透明板を一定の力で昇降（上下動）操作できるため、特に好適である。
【００２０】
この種の展示装置は、間口寸法が例えば１０ｍ前後かそれ以上に及ぶものもあるが、１枚の透明板の大きさには限度があるため、ある程度以上に大型の展示装置では、複数枚の透明板を左右に並設している。この場合、展示装置全体として１つの下ガイド手段を設けただけであると、左右に長い下ガイド手段を全体に亙って均等に移動させねばならないため、移動に大きな手間がかかる。
【００２１】
これに対して本願請求項４の構成を採用すると、各下ガイド手段を同じ量だけ移動させることにより、複数の下ガイド手段を一連に連続した状態にできるため、移動手段の操作の容易性を確保しつつ、透明板を隣り合った下ガイド手段にスライドさせて、陳列物の出し入れ等の作業を行うことができる。
【００２２】
さて、透明板を水平方向にスライドさせる場合、透明板の上端部が上シール材に強く接触していると、上がつかえた状態になってこじれが発生し、スムースにスライドさせにくくなる。この点、請求項５の構成では、透明板と上シール材との摩擦を無くした状態で透明板をスライド操作できるため、透明板のスライド操作を従来よりも軽い力で行うことができる。
【図面の簡単な説明】
【００２３】
【図１】第１実施形態の外観の概略斜視図である。
【図２】図１及び図３のII-II 視断面図である。
【図３】下ガイド手段及び移動手段を示す平面図である。
【図４】図３のうち矢印IVで示す部分の拡大図である（透明板も表示している。）。
【図５】図４の V-V視断面図である。
【図６】（Ａ）は移動手段の一部を示す分離斜視図、（Ｂ）は移動手段による動きを示す図、（Ｃ）は後退状態での操作軸の正面図、（Ｂ）は前進状態での操作軸の正面図である。
【図７】（Ａ）図４の VII-VII視断面図であって操作レバーを表示したもの、（Ｂ）は上部の側断面図である。
【図８】透明板を前進させきった状態を示す図で、（Ａ）は下部の側断面部、（Ｂ）は上端部の要部側断面図である。
【図９】上ガイドレールと天板とサイド板との分離斜視図である。
【図１０】（Ａ）は透明板を上昇させきった状態での側断面図、（Ｂ）は透明板を下降させきった状態での側断面図、（Ｃ）は（Ｂ）のＣ−Ｃ視断面図である。
【図１１】他の実施形態を示す図で、（Ａ）は透明板が上昇しきった状態での側断面図、（Ｂ）は透明板が下降しきった状態での側断面図である。
【発明を実施するための形態】
【００２４】
(1).第１実施形態の概略
次に、本願発明の実施形態を図面に基づいて説明する。まず、図１〜図１１に示す第１実施形態を説明する。図１に示すように、展示装置は、左右に長い直方体状の形態であり、前向きに開口した左右横長の本体１と、本体１の開口部を塞ぐべく左右に一列に並べた３枚の透明板（透明扉）２とを有している。
【００２５】
図１には、身長が１７０ｃｍ程度の人３を模式的に表示している。この人３との対比から理解できるように、展示装置の高さは人の身長よりも相当に高い。透明板２の大きさはユーザーの仕様に基づいて定められるが、本実施形態の場合、左右幅（間口寸法）は３ｍ程度で高さは２〜３ｍ程度に設定している。展示装置の全体の奥行き寸法は１ｍ程度になっている。
【００２６】
本体１は、展示空間４の下方に位置した下部（基礎部）５、展示空間４の後ろに位置した背部６、展示空間４の左右側方に位置したサイド板７、展示空間４の上に位置した天板８とを有している。つまり、下部５と背部６とサイド板７と天板８とによって、前向きに開口した展示空間４が形成されており、展示空間４の前面の開口部が透明板２で塞がれている。各透明板２は、後述する下ガイド手段により、左右方向にスライドさせることができる。
【００２７】
敢えて述べるまでもないが、透明板２は、透明度と強度とに優れた特殊ガラスから成っている。サイド板７と天板８もガラス板を使用しているが、ユーザーが求める仕様によっては、これらのうち一方又は両方は、金属板などの不透明板を使用することも有り得る。天板８は１枚ものを使用しているが、左右に並んだ複数枚で構成することも可能である。
【００２８】
例えば図２，５に示すように、本体１の下部５は、展示空間４の下面を構成する底板９を有しており、底板９は、左右横長のフロント支持フレーム１０及びセンター支持フレーム１１並びにリア支持フレーム１２と、隣り合った支持フレーム１０，１１，１２の間に位置した前後長手の縦桟１３の群とで支持されている。従って、フロント支持フレーム１０とセンター支持フレーム１１とリア支持フレーム１２と縦桟１３の群とにより、平面視井桁状の支持枠体が構成されている。
【００２９】
下部５のうちの下層部は、横長ベースフレーム１１′と、これら横長ベースフレーム１１′の上に重ねて固定された縦長ベースフレーム１3 ′の群とを有しており、横長ベースフレーム１１′と縦長ベースフレーム１3 ′の群とにより、井桁状のベース枠体が構成されている。
【００３０】
例えば図７（Ａ）で明瞭に理解できるように、フロント支持フレーム１０は、底板９が載る上水平板と、最前列に位置した横長ベースフレーム１１′の上面に重ねて固定された下水平板と、上下水平片を繋ぐ起立板とをしており、前向き開口コ字形の形態を成している。図５では、センター支持フレーム１１が、柱（スペーサ）１４を介して縦長ベースフレーム１３′で支持されている状態を示している。図２に示すリア支持フレーム１２も、支柱１４の群を介して縦長ベースフレーム１３′で支持されている。
【００３１】
(2).下ガイド手段・移動手段
例えば図５に示すように、フロント支持フレーム１０の起立板に、移動手段の一部を構成するガイド筒１５が貫通しており、ガイド筒１５の先端に設けたフランジ１６と、スペーサ１７と押さえ板１８とが、ボルト１９ａ及びナット１９ｂでフロント支持フレーム１０に固定（共締め）されている。
【００３２】
ガイド筒１５にはロッド２１が摺動自在に嵌まっており、ロッド２１の前端に、固定ガイドレール２２が固定されており、固定ガイドレール２２に、可動ガイド体２３が左右スライド自在に嵌まっている。可動ガイド体２３には、透明板２の下端部が取付けられている。固定ガイドレール２２と可動ガイド体２３とは、請求項に記載した下ガイド手段の一例である。本実施形態では、固定ガイドレール２２は、１枚の透明板２に対応して１本設けている。すなわち、固定ガイドレール２２を有する下ガイド手段（及び移動手段）と１枚の透明板２とが、１つのユニットを構成している。
【００３３】
例えば図５に示すように、固定ガイドレール２２は、上下の水平片を有する前向き開口コ字形の外枠２５を有しており、外枠２５の内部にスライダ受け２６が固定されている。他方、可動ガイド体２３は、上下の水平片を有する後ろ向き開口コ字形の外枠２７を有しており、外枠２７の内部に、スライダ受け２６に嵌合するスライダ２８を固定している。
【００３４】
スライダ受け２６とスライダ２８とは、それぞれ摩擦係数が小さい樹脂からなっており、スライダ受け２６は、上下にくびれ溝を有するボス形状で、スライダ２８は、スライダ受け２６に外側から嵌まる溝状であり、スライダ受け２６のくびれ溝に嵌まる内向き凸条を有している。従って、スライダ２８は、スライダ受け２６に対して抜け不能に保持されている。なお、透明板２を左右スライドさせる手段としては、実施形態のようなスライダ方式に代えて、Ｃ字形の固定ガイドレールに可動ローラ（コロ）の群を嵌め入れた方式なども採用できる。また、固定ガイドレール２２の「固定」は、左右移動しないという意味で使用しており、前後方向等に動かないという意味は持っていない。
【００３５】
ガイド筒１５は、手前側が低くて後ろが高くなるように、水平に対して若干の角度θ１だけ傾斜している。そこで、スペーサ１７は、上から下に向けて厚さが小さくなって、押さえ板１８は上から下に向けて厚さが大きくなっている。
【００３６】
一方、ロッド２１の先端に固定ガイドレール２２を取り付けるに当たっては、ロッド２１の先端にフランジ板２９を固定して、フランジ板２９とクランプ板３０とにより、固定ガイドレール２２における外枠２５の起立部を挟み固定しているが、固定ガイドレール２２及び可動ガイド体２３の外枠２５，２７の起立部は鉛直姿勢になっているので、フランジ板２９は上から下に向けて厚さを大きくして、クランプ板３０は、上から下に向けて厚さを小さくしている。固定ガイドレール２２及び可動ガイド体２３は、その起立部を鉛直姿勢にしたままで、前後動しつつ昇降する。
【００３７】
可動ガイド体２３の外枠２６は２枚の鋼板を重ねて構成されており、下端には前向き水平片２６ａを有しており、透明板２は、シール材３１を介して前向き水平片２６ａに支持・接着されている。また、透明板２の下端部は、可動ガイド体２３における外枠２６の前面に接着剤３２にて接着されている。更に、透明板２の下端部には、本体１の底板９と同じ程度の高さの化粧板３３が接着されている。
【００３８】
固定ガイドレール２２の外枠２５及びスライダ受け２６は、透明板２の左右全長に亙って延びている。他方、可動ガイド体２３については、外枠２７は透明板２の左右全長に亙って延びているが、図３に示すように、スライダ２８は、左右方向に飛び飛びで配置している（外枠２７の左右両端部には、必ずスライダ２８を設けている。）。スライダ２８を左右全長にわたって設けることも可能であるが、実施形態のように飛び飛びで配置すると、スライダ受け２６との間のこじれを抑制できる利点がある。
【００３９】
図３に示すように、ガイド筒１５は、左右方向に飛び飛びで複数本（５本）配置しており、各ガイド筒１５に嵌まっている各ロッド２１の後端は、例えば図５に示す左右横長でＬ形の１本の連結フレーム３４の起立部に、ボルト３５で固定されている。更に、図３に示すように、１枚の透明板２に対応した個所に前後長手のリニアガイド３６が左右に一対配置されており、例えば図５に示すように、リニアガイド３６に前後動自在に装着されたスライダ３７に、補助フレーム３８を介して固定されている。補助フレーム３８は、連結フレーム３４の左右全長にわたって延びている。
【００４０】
従って、各ロッド２１は、リニアガイド２５にガイドされて一斉に前後動し、これに伴って、固定ガイドレール２２と可動ガイド体２３とが一緒に前後動し、固定ガイドレール２２が前進した状態で、可動ガイド体２３を左右動させることができる。すなわち、透明板２の下端部は、各ロッド２１の前後動に連動して前後動し、固定ガイドレール２２を前進させた状態で、透明板２を左右スライドさせることができる。例えば図５に示すように、リニアガイド２５は、横長ベースフレーム１１に固定された受け台３８′に固定されている。
【００４１】
図５，７，８に示すように、フロント支持フレーム１０の前端には、透明板２を後退させきった状態で、当該透明板２との間をシールする下シール材３９が装着されている。下シール材３９は軟質材から成っていて、例えば中空構造に形成されて変形が容易になっており、この下シール材３９により、展示空間４の下部はしっかりとシールされている。なお、下シール材３９は、透明板２に設けてもよいし、透明板２とフロント支持フレーム１０（或いは底板９の前端）との両方に設けてもよい。
【００４２】
(3).駆動機構
図３及び図５から理解できるように、１つのユニットにおいて、左右中間部に位置したガイド筒１５の右（又は左）隣に、ハンドル４０で回転操作される前後長手の駆動軸４２が配置されている。ハンドル４０及び駆動軸４２は請求項に記載した移動手段の構成要素であり、駆動軸４２は、フロント支持フレーム１０及び側面視コ字形の軸受部材４３に、回転自在に保持されている。
【００４３】
すなわち、駆動軸４２は、フロント支持フレーム１０の起立部及び軸受部材４３の前起立部４３ａに対しては、フランジ付きブッシュ４４を介して回転自在で前後摺動自在に保持されており、軸受部材４３の後ろ起立部４３ｂに対しては、ナット４５を介して回転自在に保持されている。従って、駆動軸４２には、ナット４５に螺合する雄ねじ部４２ａが形成されている。ナット４５及び雄ねじ部４２ａのねじは、台形ねじを採用している。
【００４４】
なお、図５では、駆動軸４２の個所とガイド筒１５との両方の個所の断面を表示している（両者は左右に分離しているので、本来は同じ断面には表れない。）。駆動軸４２をねじ方式にする場合は、ねじとして三角ねじも採用可能であるが、安定性や強度の点からは、実施形態のような台形ねじが好ましい。
【００４５】
図５に示すように、駆動軸４２の後端は、補助フレーム３８から垂下したジョイント４６に、回転自在で前後動不能に固定されている。従って、駆動軸４２は、回転しつつ前後動し、これに伴って、補助フレーム３８及び連結フレーム３４を介して各ガイド筒１５の各ロッド２１が前後スライドし、これにより、固定ガイドレール２２が前後動する。また、図６（Ｂ）に明示するように、駆動軸４２は、回転しつつ、固定ガイドレール２２や連結フレーム３４と一緒に前後動する。
【００４６】
図６（Ａ）に明示するように、駆動軸４２の前端には、ハンドル４０との係合手段の一例として半円状の切り欠き４７を形成している。他方、ハンドル４０は、互いに逆方向に向いた前後長手のハンドルと主軸４０ａとグリップとを板で繋いだクランク形状であり、主軸４０ａに、駆動軸４２の前端部が嵌まる嵌合穴４８を形成し、嵌合穴４８に、駆動軸４２の切り欠き４７と噛み合う半円状の係合穴４９を形成している。なお、図６（Ｃ）（Ｄ）では、切り欠き４７でない部分の端面に平行斜線を付している。
【００４７】
図６（Ｂ）に示すように、駆動軸４２を回転操作すると、固定ガイドレール２２は一定のストロークＳで前後動するが、図６（Ｂ）（Ｃ）（Ｄ）に示すように、固定ガイドレール２２が後退しきった状態では、駆動軸４２の切り欠き４７は真下を向いて（図７（Ａ）も参照）、固定ガイドレール２２が前進しきった状態では、駆動軸４２の切り欠き４７は真上を向くように設定している（図８も参照）。従って、透明板２を前進させたり後退させたりするに際して、ハンドル４０をどの姿勢で駆動軸４２に嵌め入れたらよいかの把握が容易であり、一々身体をかがめて駆動軸４２の切り欠き４７の姿勢を視認するような必要はない。
【００４８】
図５，７に示すように、下部の前面のうち固定ガイドレール２２の下方の部分には化粧用の巾木４９を装着しているが、駆動軸４２を設けた部位だけ巾木４９を上向きに切り欠いて、この切り欠き部５０に、下向き回動式の扉５１を取付けている。図７（Ａ），８（Ａ）に示すように、扉５１を手前に倒すと（開くと）、ハンドル４０で駆動軸４２を回転操作できる。扉５１には錠を設けている。
【００４９】
ガイド筒１５は手前に向けて低くなるように傾斜しているので、何等の措置を施さないと、透明板２の重量により、ロッド２１は下降し勝手になっている。すると、透明板２を後退させるにおいて、透明板２の重量に抗して後退させなければならず、作業者の負担が増えることになる。そこで、本実施形態では、各ガイド筒１５には、カウンターバランス手段の例として、ロッド２１を後退方向に付勢するコイル方式の定荷重ばね（図示せず）を内蔵している。各定荷重ばねのばね力の総和は、透明板２の重量よりもわずかに小さい程度に設定している。従って、台形ねじのピッチを過度に小さくすることなく、透明板２の後退（上昇）を軽い力で行うことができる。その結果、透明板２の前後動操作を、軽い力で迅速に行える。
【００５０】
(4).上部の構造
背部６は枠材等で構成されており、背部６の上端部に、天板８の基部（後端部）が固定されている。そして、図９や図１０（Ａ）（Ｂ）に示すように、天板８の前端部には上ガイドレール５２が固定されている。上ガイドレール５２はスンテンレス鋼板等の鋼板製であり、前後の側板５３，５４を有していて、透明板２を上から覆う下向き開口コ字形の溝状部５５を備えている。後ろ側板５４の下端に水平フランジ５６を一体に曲げ形成しており、水平フランジ５６の上面に、天板８の前端部が接着剤５７で接着されている。
【００５１】
上ガイドレール５２は天板８の左右全長に亙って延びているが、図１０（Ａ）（Ｂ）のとおり、天板８の左右両端部はサイド板７の上端面に接着剤５７で固定されている。そこで、図９に示すように、上ガイドレール５２の後ろ側板５４及び水平フランジ５６は、サイド板７に当たらないように部分的に切り欠かかれており、切り欠きを符号５８で示している。
【００５２】
図１０（Ａ）（Ｂ）に示すように、上ガイドレール５２における溝状部５５の後ろ側板５４の上部には、透明板２の上端部が当接する上シール材５９が接着されている。上シール材５９は下シール材３９と同じものであり、後ろ側板５４の左右全長にわたって延びている。
【００５３】
また、透明板２の上端部には、上ガイドレール５２における溝状部５５の前側板５３に当接するシールガイド部材６０が、接着剤で接着されている。シールガイド部材６０は樹脂製であって、透明板２の上端面と前面とに重なるＬ形の形態であり、透明板２の前面に重なった前板に、上ガイドレール５２における溝状部５５の前側板５３に内側から当接する案内部６１を一体に形成している。透明板２が上昇しきった状態では、案内部６１の下端が、上ガイドレール５２の前側板５３に内側から当接することにより、透明板２の上端部が上シール材５９に押さえつけられた状態が保持されている。
【００５４】
案内部６１は、上に行くに従って透明板２に近くなる傾斜面６１ａを有している。図５を参照して既に述べたように、透明板２の下端部は可動ガイド体２３における外枠２６の前面に接着剤で固定されているが、外枠２６の前面は鉛直姿勢なので、透明板２は、鉛直姿勢を保持しながら前向き動及び下降動する傾向を呈する。
【００５５】
従って、透明板２を手前に移動させると、透明板２は、まず、シールガイド部材６０の傾斜面６１ａの案内作用により、手前に移動しながら下降して、透明板２と上シール材５９との当接が解除され、次いで、透明板２が下降しきると、シールガイド部材６０の案内部６１が前側板５３から下方に外れて、シールガイド部材６０の前板が案内部６１の上の等厚部の個所において、上ガイドレール５２の前側板５３に当接する。
【００５６】
従って、透明板２は、鉛直姿勢から後傾姿勢に姿勢を変えながら下降していき、傾斜姿勢で左右スライドする。この状態では、上シール材５９には当接していないので、上シール材５９との摩擦は皆無であり、従って、軽い力で左右スライドさせることができる。また、サイド板７の前面にはサイドシール材６２が張られており、透明板２が上昇しきった状態では、サイドシール材６２によってサイド板７と透明板２との間のシールが行われているが、透明板２が前進するとサイドシール材６２との間の摩擦も皆無になるので、サイドシール材６２が透明板２の左右スライドに対する抵抗になることはない。
【００５７】
透明板２を手前に移動させると、透明板２の下端部を接着している接着剤３２の弾性力により、透明板２の上端部は、シールガイド部材６０を介して上ガイドレール５２の前側板５３に当接しており、シールガイド部材６０が上ガイドレール５２の前側板５３を摺接しながら透明板２の左右スライドが行われる。そこで、シールガイド部材６０は、摩擦係数が小さい樹脂で製造するのが好ましい。透明板２の下降動に際しての傾斜は上ガイドレール５２で規制されるので、透明板２の最大傾斜角度θ２は、ガイド筒１５の傾斜角度θ１よりも小さくなっている。
【００５８】
なお、上ガイドレール５２は、展示装置の左右全長に亙って１本で構成されているのが好ましいが、運搬上等の制約で複数本になる場合は、例えば、溝状部５５の上面のように見えない部位に、隣り合ったパーツに重なる添え板を接着（固着）するなどして、複数本を一連に連結したらよい。
【００５９】
展示装置には一般に照明を設けているが、上ガイドレール５２に水平フランジ５６の下面に、ＬＥＤ方式のスポットライトを設けることも可能である。
【００６０】
(5).まとめ
既に説明したように、本願実施形態では、各透明板２の個所においてハンドル４０を回転操作することにより、透明板２を前進させつつ下降させて、シール材３９，５９，６２との当接を解除した状態にて左右スライドさせることができる。従って、透明板２の左右スライドを軽い力で行えると共に、シール材３９，５９，６２の磨滅や剥がれなども防止して、シール性も高い状態に維持できる。
【００６１】
そして、透明板２に対して上シール材５９が当接した状態で透明板２を左右スライドさせようとすると、摩擦抵抗がモーメントとして作用するため、透明板２のスライドに対してこじれが生じて（上端がつかえた状態になって）非常にスライドさせにくいが、本実施形態では、透明板２の上端部は、下降動しつつ上シール材５９から離反するため、透明板２のスライド操作は、上端部でのこじれを無くした状態で軽快に行うことができる。ガイド案内部材５２の存在によって高いシール性を確保できることは、既述したとおりである。
【００６２】
また、本実施形態では、下ガイド手段と移動手段とは各透明板２に対応してユニット化しているので、１本のハンドル４０の回転操作のみでも、各透明板２を軽快に前後動及び昇降させることができる。各固定ガイドレール２２を同じ量だけ前進させると、透明板２は、固定ガイドレール２２に跨がらせた状態でスライドさせることができる。
【００６３】
既述のとおり、本実施形態では、透明板２を後退させきった状態では、駆動軸４２の切り欠き４７は下向きで、透明板２を前進させきった状態では、駆動軸４２の切り欠き４７は上向きになるように設定しているので、透明板２を前進・下降させるに際しても、透明板２を後退・上昇させるに際しても、ハンドル４０の姿勢が決まっている。このため、一々身体をかがめて駆動軸４２を覗き込むような必要はなくて、指先で駆動軸４２の前端部の位置を確かめてから、ハンドル４０を上向きの姿勢にして嵌め込むだけでよいため、駆動軸４２に対するハンドル４０の嵌め込みを容易に行える。
【００６４】
固定ガイドレール２２を後退させきると、当然にハンドル４０は駆動軸４２から抜き外すが、固定ガイドレール２２を前進させきった状態では、ハンドル４０は駆動軸４２に取り付けたままにしておいて展示物の入れ換えなどを行う場合もあると云える。その場合、実施形態のように、固定ガイドレール２２を前進させきった状態と後退させきった状態とで、ハンドルの姿勢が上下逆向きになるように設定しておくと、ハンドル４０の姿勢から透明板２を前進させきっている状態を視認できるため、作業者は透明板２の状態を容易に把握できる利点がある。
【００６５】
更に、駆動軸４２は固定ガイドレール２２と一緒に前後動するため、透明板２の前面と駆動軸４２の前端との相対位置は不変であり、駆動軸４２が透明板２の後ろに大きく隠れてしまう現象は生じない。従って、いったん透明板２を前進させてからハンドル４０を抜き取って再度嵌め込むに際して、駆動軸４２の位置を手さぐりで探すような手間は不要であり、ハンドル４０の嵌め込みを容易に行える利点がある。また、ハンドル４０の主軸４０ａの長さを短くできる利点もある。
【００６６】
(7).他の実施形態
図１１に示す実施形態では、透明板２を昇降式のみに構成している。この実施形態では、図示しない固定ガイドレールは、例えばハンドル操作によって昇降可能になっている。そして、透明板２の下端部に下シール材３９を固定している一方、本体１の下部の前面には、下シール材３９が当接する前向きシール部７６を設けており、透明板２が下降すると、下シール材３９が前向きシール部７６から離脱するように設定している。
【００６７】
他方、上ガイドレール５２については、その後ろ側板５４の上端部内面に上シール材５９を装着して、前側板５３の内面には、透明板２の上端を上シール材５９に押し付けるシールガイド部材７７が固着されている。シールガイド部材７７は前側板５３の略前面に設けており、上端部に、透明板２を上シール材５９に向けて押しやるガイド手段７７ａを形成している。透明板２の上端には、滑りをよくするため、内外に重なる樹脂製エッジ材７８を装着している。後ろ側板５４の下部には、透明板２の振れ止めのためのガイドリブ７９が、左右全長に亙って設けられている。
【００６８】
この実施形態では、透明板２は、上昇させきった状態では、上端部と下端部とがシール材３９，５９でシールされており、下降させきると、シール材３９，５９による摩擦抵抗がない状態で、透明板２を軽い力で左右スライドさせることができる。
【００６９】
本願発明は、他にも様々に具体化できる。例えば、透明板の前後動や昇降は電動モータで行うことも可能である。透明板を前後動させる手段としては、ねじ式の駆動軸に代えてカムを使用することも可能である。透明板を前後動及び昇降させる場合、前後動と昇降とを別々の動きにしてもよい。
【００７０】
展示装置は、壁から大きくせり出した出島状態に形成して、３つの面を透明板からなる展示面としたり、フロアーに独立して島状に配置して、４つの面の全てを透明板からなる展示面とすることも可能である。この場合も、少なくとも１枚の透明板の個所を本願発明の構成とすることが可能である。上ガイドレールは、複数の部材で構成されていてもよい。透明板は、必ずしも上シール材から完全に離す必要はなく、透明板を軽快に左右移動させることができたら、透明板は上シール材に当たっていてもよい。
【産業上の利用可能性】
【００７１】
本願発明は、展示装置に具体化できる。従って、産業上利用できる。
【符号の説明】
【００７２】
１  本体
２  透明板
４  展示空間
５  展示装置の下部
６  背部
７  サイド板
８  天板
１５  移動手段を構成するガイド筒
２１  移動手段を構成するロッド
２２  下ガイド手段を構成する固定ガイドレール
２３  下ガイド手段を構成する可動ガイド体
３９  下シール材
４０  ハンドル
５２  上ガイドレール
５９  上シール材
６０  シールガイド部材
６１  案内部
６２  サイドシール材
【図１】
0006730080.tif 000002
【図２】
0006730080.tif 000003
【図３】
0006730080.tif 000004
【図４】
0006730080.tif 000005
【図５】
0006730080.tif 000006
【図６】
0006730080.tif 000007
【図７】
0006730080.tif 000008
【図８】
0006730080.tif 000009
【図９】
0006730080.tif 000010
【図１０】
0006730080.tif 000011
【図１１】
0006730080.tif 000012